(57)【要約】【課題】簡単な構成により内容物の移動を抑制でき耐衝撃性を向上させることができる梱包箱を提供する。【解決手段】本発明の梱包箱の一態様は、互いに離間して対向した矩形板状の第１および第２側壁部、第１側壁部の一端と第２側壁部の一端をつないだ矩形板状の第３側壁部、および第１側壁部の他端と第２側壁部の他端をつないだ矩形板状の第４側壁部を有する箱体と、第１側壁部の内面に沿って配置され第３側壁部の内面に対向する一端を有する第１脚板部、第２側壁部の内面に沿って配置され第４側壁部の内面に対向する一端を有する第２脚板部、および第１脚板部の他端および第２脚板部の他端をつないで第１脚板部に対して鈍角に傾斜し且つ第２脚板部に対して鈍角に傾斜した傾斜板部を一体に形成した仕切板と、を有する。【選択図】図２
2017218155.tif 000002
【特許請求の範囲】
【請求項１】
互いに離間して対向した矩形板状の第１および第２側壁部、前記第１側壁部の一端と前記第２側壁部の一端をつないだ矩形板状の第３側壁部、および前記第１側壁部の他端と前記第２側壁部の他端をつないだ矩形板状の第４側壁部を有する箱体と、
前記第１側壁部の内面に沿って配置され前記第３側壁部の内面に対向する一端を有する第１脚板部、前記第２側壁部の内面に沿って配置され前記第４側壁部の内面に対向する一端を有する第２脚板部、および前記第１脚板部の他端および前記第２脚板部の他端をつないで前記第１脚板部に対して鈍角に傾斜し且つ前記第２脚板部に対して鈍角に傾斜した傾斜板部を一体に形成した仕切板と、
を有する梱包箱。
【請求項２】
前記仕切板は、１枚の板材を折り曲げて形成されている、
請求項１に記載の梱包箱。
【請求項３】
前記箱体は、前記第１乃至第４側壁部が形成する枠体の一方の開口を閉じる底壁部、および前記枠体の他方の開口を閉じる天壁部を有する、
請求項１に記載の梱包箱。
【請求項４】
互いに離間して対向した矩形板状の第１および第２側壁部、および前記第１側壁部の一端と前記第２側壁部の一端をつないだ矩形板状の第３側壁部を有する箱体と、
前記第１側壁部の内面に沿って配置され前記第３側壁部の内面に対向する一端を有する第１脚板部、前記第２側壁部の内面に沿って配置された第２脚板部、および前記第１脚板部の他端および前記第２脚板部の一端をつないだ傾斜板部を一体に有する仕切板と、
前記傾斜板部が前記第１脚板部に対して鈍角に傾斜するとともに前記第２脚板部に対して鈍角に傾斜し、前記第１脚板部が前記第１側壁部の内面に接触し、且つ前記第２脚板部が前記第２側壁部の内面に接触するように前記第２脚板部の他端を支持した支持部と、
を有する梱包箱。
【請求項５】
前記仕切板および前記支持部は、１枚の板材を折り曲げて一体に形成されている、
請求項４に記載の梱包箱。
【請求項６】
外側に膨出して湾曲した表面を有するとともに開口部に向けて縮径した首部を有する容器本体と、前記開口部を塞いで前記首部に設けるとともにトリガーレバーを備えたスプレーノズルと、を有したボトル容器を複数本重ねて梱包した、
請求項１乃至請求項５のいずれかに記載の梱包箱。
【発明の詳細な説明】
【技術分野】
【０００１】
本発明は、複数個の物品を梱包する梱包箱に関する。
【背景技術】
【０００２】
段ボール箱に複数個の物品を収納して梱包する場合、物品同士がぶつかって破損しないように、または物品同士が箱の中でずれないように、段ボール箱の中に仕切板を挿入する場合がある。仕切板は、通常、段ボール紙を形状加工して折り曲げて形成され、必要に応じて、複数枚組み合わせたり、段ボール箱の内面に接着したりして使用される。
【０００３】
実開平７−４０４３４号公報（特許文献１）に記載の「皿鉢類の２個詰め用パッケージ」は、２個の皿または鉢を収納する２つの空間を仕切るＺ型パット（仕切板）を有する。このＺ型パットは、１枚の矩形の段ボール紙をＺ型に直角に折り曲げた簡易的な形状を有し、使用する段ボール紙を少なくでき製造コストを安価にできる。しかし、例えば落下などによりパッケージの外側から比較的大きな衝撃が加わると、一方の空間に収納した皿または鉢が他方の空間に向けて押されて、Ｚ型パットが一方の空間を広げる方向に変位する場合がある。このため、パッケージの外側から比較的大きな衝撃が加わると、２個の皿または鉢が押し付け合って破損する危険性がある。
【０００４】
特開２００１−２０６３５１号公報（特許文献２）に記載の「簡易組立仕切り」は、２枚の段ボール紙をそれぞれコ字状に折り曲げて組み合わせて形成されている。この簡易組立仕切りは、上述した特許文献１のパッケージと同様に２つの空間を仕切るために、２枚の段ボール紙が各空間それぞれに割り当てられている。このため、段ボール箱の内部空間を２つに確実に仕切ることができる反面、多くの材料を必要とし、組立工数も多くなり、製造コストが高価になるとともに、箱全体の重量が重くなってしまう。
【０００５】
特開２００９−９６５１２号公報（特許文献３）に記載の「スタンディングパウチ用包装箱」は、段ボール箱の内部空間を少なくとも２つに仕切る縦仕切板を有する。この縦仕切板は、それぞれ、スタンディングパウチの外形に合わせて少なくとも２箇所（図６の例では４箇所）で鋭角に折り曲げられている。スタンディングパウチは、外部からの圧力によって容易に変形するため、包装箱の外側から衝撃や振動が加わると、縦仕切板も変形したり移動したりする可能性がある。この場合、複数個のスタンディングパウチと縦仕切板が包装箱の中で移動してばらばらになってしまう可能性がある。
【０００６】
例えば、段ボール箱に収納する物品がスプレーノズル付のボトル容器である場合、段ボール箱が落下した際の衝撃や振動などにより、ボトル容器の内容物が漏れ出す不具合を生じる場合がある。例えば、仕切板を使わずに複数個のボトル容器を重ねて段ボール箱に収納した場合、落下などによる衝撃が段ボール箱に加わると、重力方向下方にあるボトル容器に大きな圧力がかかって液漏れを生じ易い。また、段ボール箱に衝撃や振動が加わると、ボトル容器が移動して隣接するボトル容器と接触し、スプレーノズルのトリガーレバーに当たって液漏れを生じる可能性がある。
【先行技術文献】
【特許文献】
【０００７】
【特許文献１】実開平７−４０４３４号公報
【特許文献２】特開２００１−２０６３５１号公報
【特許文献３】特開２００９−９６５１２号公報
【発明の概要】
【発明が解決しようとする課題】
【０００８】
本発明は、上記の点に鑑みてなされたもので、簡単な構成により内容物の移動を抑制でき耐衝撃性を向上させることができる梱包箱を提供することを目的とする。
【課題を解決するための手段】
【０００９】
本発明の梱包箱の一態様は、互いに離間して対向した矩形板状の第１および第２側壁部、第１側壁部の一端と第２側壁部の一端をつないだ矩形板状の第３側壁部、および第１側壁部の他端と第２側壁部の他端をつないだ矩形板状の第４側壁部を有する箱体と、第１側壁部の内面に沿って配置され第３側壁部の内面に対向する一端を有する第１脚板部、第２側壁部の内面に沿って配置され第４側壁部の内面に対向する一端を有する第２脚板部、および第１脚板部の他端および第２脚板部の他端をつないで第１脚板部に対して鈍角に傾斜し且つ第２脚板部に対して鈍角に傾斜した傾斜板部を一体に形成した仕切板と、を有する。
【００１０】
また、本発明の梱包箱の一態様は、互いに離間して対向した矩形板状の第１および第２側壁部、および第１側壁部の一端と第２側壁部の一端をつないだ矩形板状の第３側壁部を有する箱体と、第１側壁部の内面に沿って配置され第３側壁部の内面に対向する一端を有する第１脚板部、第２側壁部の内面に沿って配置された第２脚板部、および第１脚板部の他端および第２脚板部の一端をつないだ傾斜板部を一体に有する仕切板と、傾斜板部が前記第１脚板部に対して鈍角に傾斜するとともに第２脚板部に対して鈍角に傾斜し、第１脚板部が第１側壁部の内面に接触し、且つ第２脚板部が第２側壁部の内面に接触するように第２脚板部の他端を支持した支持部と、を有する。
【発明の効果】
【００１１】
本発明の一態様によれば、簡単な構成により内容物の移動を抑制でき耐衝撃性を向上させることができる梱包箱を提供することができる。
【図面の簡単な説明】
【００１２】
【図１】図１は、第１の実施形態に係る梱包箱の分解斜視図である。
【図２】図２は、図１の梱包箱の天壁部を開いた状態の平面図である。
【図３】図３は、図１の梱包箱に収納するボトル容器を示す外観斜視図である。
【図４】図４は、第２の実施形態に係る梱包箱の概略図である。
【図５】図５は、第３の実施形態に係る梱包箱の概略図である。
【発明を実施するための形態】
【００１３】
以下、本発明の実施形態について図面を参照して説明する。  
図１は、第１の実施形態に係る梱包箱１０を分解した分解斜視図であり、図２は、梱包箱１０の天壁部８を開いた状態の平面図であり、図３は、梱包箱１０の中に収納するボトル容器３０を示す外観斜視図である。ボトル容器３０は、梱包箱１０に収納する物品の一例であり、梱包箱１０にはボトル容器３０以外の物品を収納することもできる。梱包箱１０は、例えば、段ボール紙を形状加工して折り曲げた段ボール箱である。
【００１４】
梱包箱１０は、矩形板状の４つの側壁部１、２、３、４、矩形の底壁部６、および矩形の天壁部８を有する。４つの側壁部１、２、３、４は、枠体１１を構成する。梱包箱１０は、内部空間を２分割するための仕切板２０を有する。仕切板２０は、梱包箱１０の中に挿入配置されている。仕切板２０によって区画された各部屋には、複数本のボトル容器３０が図２に示すように重ねて収納される。例えば、本実施形態の梱包箱１０は、９本ずつ１８本のボトル容器３０を収納するサイズに形成されている。
【００１５】
梱包箱１０は、長手方向に沿って互いに平行に離間して設けた矩形板状の第１側壁部１および第２側壁部２を有する。また、梱包箱１０は、第１側壁部１の一端と第２側壁部２の一端をつないだ矩形板状の第３側壁部３、および第１側壁部１の他端と第２側壁部２の他端をつないだ矩形板状の第４側壁部４を有する。第３側壁部３および第４側壁部４も互いに離間して平行に設けられている。
【００１６】
また、梱包箱１０は、４つの側壁部１、２、３、４により形成した枠体１１の一方（図１で下方）の開口を閉じる矩形の底壁部６、および枠体１１の他方（図１で上方）の開口９を閉じる矩形の天壁部８を有する。天壁部８は、第１側壁部１の図示上端につながる矩形の縦蓋部１ａ、第２側壁部２の図示上端につながる矩形の縦蓋部２ａ、第３側壁部３の図示上端につながる矩形の横蓋部３ａ、および第４側壁部４の図示上端につながる矩形の横蓋部４ａを有する。４つの蓋部１ａ、２ａ、３ａ、４ａを閉じて天壁部８を構成する。
【００１７】
天壁部８を図２のように開いた状態から閉じる（閉じた状態は図示していない）際には、まず比較的短い２つの横蓋部３ａ、４ａを内側に直角に折り曲げて開口９に重ね、その後比較的長い２つの縦蓋部１ａ、２ａを内側に直角に折り曲げて２つの横蓋部３ａ、４ａの上に重ねて開口９を閉じる。底壁部６も天壁部８と同じ構造を有し、４つの蓋部を重ね合せて開口を閉じる。ここでは、底壁部６の詳細な構造についての説明は省略する。
【００１８】
仕切板２０は、第１側壁部１の内面１ｂに沿って配置される矩形板状の第１脚板部２２、第２側壁部２の内面２ｂに沿って配置される矩形板状の第２脚板部２４、および第１脚板部２２と第２脚板部２４をつないだ矩形板状の傾斜板部２６を一体に有する。本実施形態では、１枚の矩形の段ボール紙を長手方向に離間した２箇所で鈍角に折り曲げてＺ型にして仕切板２０を形成した。
【００１９】
仕切板２０を梱包箱１０の中に挿入配置した状態で、第１脚板部２２が第１側壁部１の内面１ｂに接触し且つ第１脚板部２２の一端が第３側壁部３の内面３ｂに当接し、第２脚板部２４が第２側壁部２の内面２ｂに接触し且つ第２脚板部２４の一端が第４側壁部４の内面４ｂに当接する。この状態で、第１脚板部２２の他端と第２脚板部２４の他端をつないだ傾斜板部２６が梱包箱１０の内部空間を２等分するように区画する。第４側壁部４は、第２脚板部２４の一端を支持する支持部として機能する。
【００２０】
上記のように、仕切板２０の第１脚板部２２の一端を第３側壁部３の内面３ｂに当接させて、第２脚板部２４の一端を第４側壁部４の内面４ｂに当接させ、傾斜板部２６を第１脚板部２２の他端に対して鈍角に傾斜させ、且つ傾斜板部２６を第２脚板部２４の他端に対して鈍角に傾斜させると、傾斜板部２６の長さが第１側壁部１と第２側壁部２の間の幅より必然的に長くなる。このため、上記構造の仕切板２０を梱包箱１０内に挿入すると、仕切板２０が移動できなくなり回転できなくなる。
【００２１】
これに対し、例えば、一端を第３側壁部３の内面３ｂに当接させた第１脚板部２２の他端に対して傾斜板部２６を鋭角に傾斜させ、且つ一端を第４側壁部４の内面４ｂに当接させた第２脚板部２４の他端に対して傾斜板部２６を鋭角に傾斜させると、傾斜板部２６の長さが第１側壁部１と第２側壁部２の間の幅より必然的に長くなるが、第１脚板部２２の一端が第３側壁部３の内面３ｂから離れる方向に傾斜板部２６が回転可能となり、第２脚板部２４の一端が第４側壁部４の内面４ｂから離れる方向に傾斜板部２６が回転可能となる。
【００２２】
或いは、一端を第３側壁部３の内面３ｂに当接させた第１脚板部２２と傾斜板部２６との間の折り曲げ角度を直角にして、一端を第４側壁部４の内面４ｂに当接させた第２脚板部２４と傾斜板部２６との間の折り曲げ角度を直角にすると、傾斜板部２６の長さが第１側壁部１と第２側壁部２の間の幅と略同じになり、傾斜板部２６が回転可能となってしまう。よって、本実施形態では、第１脚板部２２と傾斜板部２６との間の折り曲げ角度を鈍角とし、第２脚板部２４と傾斜板部２６との間の折り曲げ角度を鈍角とした。
【００２３】
図３に示すように、ボトル容器３０は、例えば洗剤などの液体を収容した容器本体３２、およびトリガーレバー３３を備えたスプレーノズル３４を有する。容器本体３２は、外側に膨出して湾曲した表面を有し、容器本体３２の上端にある開口部（図示せず）に向けて縮径した首部３２ａを有する。スプレーノズル３４は、例えば首部３２ａに螺合して取り付けられ、首部３２ａの上端にある開口部を塞ぐ。スプレーノズル３４は、トリガーレバー３３を引くことで液体を噴出する噴出口３５を有する。噴出口３５には、噴出口３５を開閉するためのダイヤル３６が設けられている。本実施形態のボトル容器３０は、スプレーノズル３４の幅が容器本体３２の幅より大きく、図２に示すように重ねて梱包箱１０内に収納すると、隣接するボトル容器３０のスプレーノズル３４同士が接触し易い構造となっている。
【００２４】
上述したように、梱包箱１０の仕切板２０が側壁部１、２、３、４に対して傾斜した傾斜板部２６を有するため、梱包箱１０内に収納するボトル容器３０も、図２に示すように傾斜して互いにずらして重ねられる。言い換えると、本実施形態の梱包箱１０を使用して矩形箱状の物品を収納しようとした場合、物品の角部が傾斜板部に接触して物品の収納空間が狭くなる。つまり、本実施形態の梱包箱１０は、仕切板２０が傾斜板部２６を有するため、外側に膨出して湾曲した表面を有する容器本体３２を備えたボトル容器３０を収納するのに適している。なお、複数本のボトル容器３０を梱包箱１０内に収納する場合、スプレーノズル３４の噴出口３５が内側に向くように互い違いに配置される。
【００２５】
以下、上述した仕切板２０の機能について説明する。  
例えば、所定数の物品（本実施形態では１８本のボトル容器３０）を収納して梱包した状態（天壁部８を閉じた状態）の梱包箱１０を第３側壁部３を下にして落下させると、仕切板２０によって区画された第３側壁部３側の空間（重力方向下側の空間）に収納した９本のボトル容器３０のうち重力方向下端にある第３側壁部３に最も近いボトル容器３０に比較的大きな荷重（ボトル容器９本分の荷重）がかかる。
【００２６】
一方、仕切板２０の傾斜板部２６の上方の空間に収納した９本のボトル容器３０の荷重は、そのほとんどが傾斜板部２６に作用して、第１脚板部２２を介して第３側壁部３に伝えられるとともに、第２脚板部２４を介して第２側壁部２に伝えられる。傾斜板部２６が水平方向に対して傾斜しているため、傾斜板部２６に作用した荷重が分散し、応力集中を防止することができる。つまり、この場合、仕切板２０の下方の空間に収納したボトル容器３０には上方の空間に収納したボトル容器９本分の荷重はほとんど作用しない。天地を逆にして第４側壁部４を下にして落下させた場合も同様のことが言える。
【００２７】
これに対し、仕切板２０を挿入せずに梱包箱１０を第３側壁部３（或いは第４側壁部４）を下にして落下させると、重力方向の下端にあるボトル容器３０に１８本分の荷重が集中する。この場合、重力方向の下端近くにあるボトル容器３０同士が激しく接触して、トリガーレバー３３が不用意に引かれてしまい、液漏れを生じる可能性がある。また、この場合、ボトル容器３０が衝突荷重により変形してしまう可能性もある。
【００２８】
本実施形態のように、梱包箱１０内に仕切板２０を挿入配置することで、上述したように１８本全てのボトル容器３０の荷重が集中することを防止でき、最大で９本分のボトル容器３０の荷重が集中するだけに抑えることができ、液漏れ等の不具合やボトル容器３０の変形の不具合を防止することができる。
【００２９】
梱包箱１０の落下によってボトル容器３０に作用する衝撃力は、上述した姿勢（第３側壁部３或いは第４側壁部４を下にした姿勢）で落下させたときが最も大きくなるものと予想されるが、第１側壁部１や第２側壁部２を下にして落下させた場合も、ボトル容器３０に衝撃力がかかる。この場合、仕切板２０は、第１側壁部１または第２側壁部２自体の変形を抑制するよう梱包箱１０を補強し、内部のボトル容器３０に伝わる衝撃力を吸収する。つまり、本実施形態によると、上述したように仕切板２０が梱包箱１０に対してほぼ移動不能となるため、傾斜板部２６が第１側壁部１と第２側壁部２の間を支える支柱として機能し、第１側壁部１および第２側壁部２の変形を抑制する。
【００３０】
以上のように、本実施形態によると、段ボール紙などの１枚の板材を２箇所で鈍角に折り曲げただけの簡単な構成を有する仕切板２０を備えることで、梱包箱１０の内部空間を確実に区画することができ、ボトル容器３０などの収納物品の不所望な移動を抑制でき、梱包箱１０の耐衝撃性を向上させることができる。仕切板２０は、梱包箱１０の側壁部１、２、３、４に対して傾斜した傾斜板部２６を有するため、梱包箱１０の外部から衝撃が加わった場合、応力の集中を分散できる。仕切板２０は、梱包箱１０の補強部材としても機能する。
【００３１】
また、本実施形態によると、トリガーレバー３３を備えたスプレーノズル３４を有するボトル容器３０を収納するのに適した梱包箱１０を提供できる。つまり、上述したボトル容器３０は、外側に膨出して湾曲した容器本体３２が縮径した首部３２ａを有して、この首部３２ａにスプレーノズル３４を取り付けた構造を有するため、複数本のボトル容器３０を重ねて収納した場合、容器本体３２の膨出した部分より首部３２ａ近くの方が横に移動し易く、スプレーノズル３４同士が接触し易い。このため、仕切板２０を設けてボトル容器３０を移動し難くすることが、液漏れ等の不具合を防止する上で重要となる。
【００３２】
また、本実施形態によると、仕切板２０の傾斜板部２６が側壁部１、２、３、４に対して傾斜しているため、外側に膨出して湾曲した容器本体３２を有するボトル容器３０を互いにずらして重ねることで、矩形の梱包箱１０の収納スペースを有効利用でき、ボトル容器３０同士の間の隙間を少なくできる。このように、ボトル容器３０同士の間の隙間を少なくすることで、収納可能な本数を多くすることができ、ボトル容器３０の移動を抑制することができる。
【００３３】
図４は、第２の実施形態の梱包箱４０を示す概略図である。この梱包箱４０は、仕切板４１の形状が異なる以外、上述した第１の実施形態と同様の構造を有する。つまり、仕切板４１は、例えば段ボール紙を長手方向に沿った４箇所で鈍角に折り曲げた形状を有する。よって、ここでは、第１の実施形態と異なる構成について詳細に説明し、第１の実施形態と同様に機能する構成には同一符号を付してその詳細な説明を省略する。
【００３４】
仕切板４１は、第２側壁部２の内面２ｂに接触し且つ一端を第３側壁部３の内面３ｂに当接せしめた矩形の第１脚板部４２、第１側壁部１の内面１ｂに接触した矩形の中間板部４４、第２側壁部２の内面２ｂに接触し且つ一端を第４側壁部４の内面４ｂに当接せしめた矩形の第２脚板部４６、第１脚板部４２の他端と中間板部４４の一端をつないで傾斜して延びた第１傾斜板部４３、および中間板部４４の他端と第２脚板部４６の他端をつないで傾斜して延びた第２傾斜板部４５を一体に有する。第１傾斜板部４３は、第１脚板部４２に対して鈍角に傾斜し、中間板部４４に対して鈍角に傾斜している。第２傾斜板部４５は、中間板部４４に対して鈍角に傾斜し、第２脚板部４６に対して鈍角に傾斜している。
【００３５】
本実施形態では、中間板部４４は、第１の実施形態における仕切板２０の第２脚板部２４と同様に機能する。また、第２傾斜板部４５および第２脚板部４６は、中間板部４４の他端を支持する支持部として機能する。支持部４５、４６は、第１脚板部４２が第２側壁部２の内面２ｂに接触し、中間板部４４が第１側壁部１の内面１ｂに接触し、且つ第１傾斜板部４３が第１脚板部４２に対して鈍角で傾斜するとともに中間板部４４に対して鈍角に傾斜するように、中間板部４４の他端を支持している。
【００３６】
つまり、本実施形態においても、第１脚板部４２と第１傾斜板部４３を鈍角に配置し、第１傾斜板部４３と中間板部４４を鈍角に配置し、中間板部４４と第２傾斜板部４５を鈍角に配置し、第２傾斜板部４５と第２脚板部４６を鈍角に配置したため、仕切板４１は梱包箱４０内で移動および回転不能となる。よって、梱包箱４０の内部空間を確実に区画（本実施形態では３つの部屋に区画）することができ、ボトル容器３０などの収納物品の不所望な移動を抑制でき、梱包箱４０の耐衝撃性を向上させることができる。
【００３７】
図５は、第３の実施形態の梱包箱５０を示す概略図である。この梱包箱５０は、仕切板５１の形状が異なる以外、上述した第２の実施形態と同様の構造を有する。つまり、仕切板５１は、例えば段ボール紙を長手方向に沿った６箇所で鈍角に折り曲げた形状を有する。よって、ここでは、第２の実施形態と異なる構成について詳細に説明し、第２の実施形態と同様に機能する構成には同一符号を付してその詳細な説明を省略する。
【００３８】
仕切板５１は、第２側壁部２の内面２ｂに接触し且つ一端を第３側壁部３の内面３ｂに当接せしめた矩形の第１脚板部５２、第１側壁部１の内面１ｂに接触した矩形の第１中間板部５４、第２側壁部２の内面２ｂに接触した矩形の第２中間板部５６、第１側壁部１の内面１ｂに接触し且つ一端を第４側壁部４の内面４ｂに当接せしめた矩形の第２脚板部５８、第１脚板部５２の他端と第１中間板部５４の一端をつないで傾斜して延びた第１傾斜板部５３、第１中間板部５４の他端と第２中間板部５６の一端をつないで傾斜して延びた第２傾斜板部５５、および第２中間板部５６の他端と第２脚板部５８の他端をつないで傾斜して延びた第３傾斜板部５７を一体に有する。
【００３９】
第１傾斜板部５３は、第１脚板部５２に対して鈍角に傾斜し、第１中間板部５４に対して鈍角に傾斜している。第２傾斜板部５５は、第１中間板部５４に対して鈍角に傾斜し、第２中間板部５６に対して鈍角に傾斜している。第３傾斜板部５７は、第２中間板部５６に対して鈍角に傾斜し、第２脚板部５８に対して鈍角に傾斜している。
【００４０】
本実施形態では、第１中間板部５４は、第２の実施形態における仕切板４１の中間板部４４と同様に機能する。また、第２傾斜板部５５、第２中間板部５６、第３傾斜板部５７、および第２脚板部５８は、第１中間板部５４の他端を支持する支持部として機能する。支持部５５、５６、５７、５８は、第１脚板部５２が第２側壁部２の内面２ｂに接触し、第１中間板部５４が第１側壁部１の内面１ｂに接触し、且つ第１傾斜板部５３が第１脚板部５２に対して鈍角で傾斜するとともに第１中間板部５４に対して鈍角に傾斜するように、第１中間板部５４の他端を支持している。
【００４１】
つまり、本実施形態においても、第１脚板部５２と第１傾斜板部５３を鈍角に配置し、第１傾斜板部５３と第１中間板部５４を鈍角に配置し、第１中間板部５４と第２傾斜板部５５を鈍角に配置し、第２傾斜板部５５と第２中間板部５６を鈍角に配置し、第２中間板部５６と第３傾斜板部５７を鈍角に配置し、第３傾斜板部５７と第２脚板部５８を鈍角に配置したため、仕切板５１は梱包箱５０内で移動および回転不能となる。よって、梱包箱５０の内部空間を確実に区画（本実施形態では４つの部屋に区画）することができ、ボトル容器３０などの収納物品の不所望な移動を抑制でき、梱包箱５０の耐衝撃性を向上させることができる。
【００４２】
以上、いくつかの実施形態に基づいて本発明を説明したが、本発明は、上述した実施形態に限定されるものではなく、本発明の要旨の範囲内で種々の変形や応用が可能なことは勿論である。
【００４３】
例えば、上述した第１の実施形態では、第１脚板部２２、第２脚板部２４、および傾斜板部２６を一体に有する仕切板２０を用いた梱包箱１０について説明したが、これに限らず、第１脚板部２２の他端に第３側壁部３に沿った延長板部を設けてこの延長板部の反対側の端部を第２側壁部２の内面２ｂに当接させるとともに、第２脚板部２４の他端に第４側壁部４に沿った延長板部を設けてこの延長板部の反対側の端部を第１側壁部１の内面１ｂに当接させるようにしてもよい。第２の実施形態および第３の実施形態においても、このような延長板部を設けることができる。
【００４４】
例えば、第１の実施形態の仕切板２０に延長板部を設けた場合、第１脚板部２２が第１側壁部１から離間してしまうことを防止でき、第２脚板部２４が第２側壁部２から離間してしまうことを防止でき、仕切板の移動をより確実に防止することができる。
【００４５】
また、例えば、図５に示した第３の実施形態の仕切板５１の第３傾斜板部５７に続けて、さらに第３中間板部、第４傾斜板部、第４中間板部、第５傾斜板部といったように、第２脚板部５８までの間に中間板部と傾斜板部を繰り返して設けてもよい。
【００４６】
また、上述した各実施形態では、仕切板２０、４１、５１の各脚板部２２、２４、４２、４６、５２、５８の自由端を第３側壁部３や第４側壁部４の内面に当接させた場合について説明したが、これに限らず、脚板部２２、２４、４２、４６、５２、５８の自由端を第３側壁部３や第４側壁部４の内面から僅かに離間させて対向させてもよい。この場合、梱包箱１０、４０、５０が落下などした時点で脚板部２２、２４、４２、４６、５２、５８の自由端が第３側壁部３や第４側壁部４の内面に当接し、それ以上の仕切板２０、４１、５１の移動を規制し、仕切板２０、４１、５１が回転する不具合を防止することができる。
【符号の説明】
【００４７】
１…第１側壁部、  ２…第２側壁部、  ３…第３側壁部、  ４…第４側壁部、  １ｂ、２ｂ、３ｂ、４ｂ…内面、  ６…底壁部、  ８…天壁部、  １０、４０、５０…梱包箱、  １１…枠体、  ２０、４１、５１…仕切板、  ２２、４２、５２…第１脚板部、  ２４、４６、５８…第２脚板部、  ２６…傾斜板部、  ３０…ボトル容器、  ３２…容器本体、  ３２ａ…首部、  ３３…トリガーレバー、  ３４スプレーノズル、  ４３、５３…第１傾斜板部、  ４４…中間板部、  ４５、５５…第２傾斜板部、  ５４…第１中間板部、  ５６…第２中間板部、  ５７…第３傾斜板部。
【図１】
2017218155.tif 000003
【図２】
2017218155.tif 000004
【図３】
2017218155.tif 000005
【図４】
2017218155.tif 000006
【図５】
2017218155.tif 000007